【手続補正書】
【提出日】平成23年8月2日(2011.8.2)
【手続補正１】
【補正対象書類名】特許請求の範囲
【補正対象項目名】全文
【補正方法】変更
【補正の内容】
【特許請求の範囲】
【請求項１】
任意の地点を示す地点情報の転送予約機能を有する携帯機器と、通信を行う通信手段と、
通信確立された後に、前記携帯機器から前記地点情報を取得する地点情報取得手段と、
前記地点情報を用いて、少なくとも地点登録または目的地設定を行う地点情報処理手段と、
前記地点情報の転送元となる前記携帯機器に対し、当該地点情報の登録削除指令を送信する削除指令送信手段と、を備えたことを特徴とする車載機器。
【請求項２】
前記地点情報は、前記目的地を示す目的地情報、または地点登録するための地点登録情報であり、
前記地点情報取得手段により取得した前記地点情報が前記目的地情報および前記地点登録情報のいずれであるかを判別する地点情報判別手段をさらに備え、
前記地点情報処理手段は、
前記地点情報が前記地点登録情報であると判別された場合、当該地点登録情報を用いて地点登録を行う地点登録手段と、
前記地点情報が前記目的地情報であると判別された場合、当該目的地情報を用いて目的地設定を行う目的地設定手段と、を含むことを特徴とする請求項１に記載の車載機器。
【請求項３】
前記携帯機器との通信確立時に、当該携帯機器に対し、前記地点情報の転送予約の有無を確認する転送予約確認手段をさらに備え、
前記地点情報取得手段は、前記転送予約確認手段により、前記携帯機器に転送予約があることを確認した場合、当該携帯機器から前記地点情報を取得することを特徴とする請求項１に記載の車載機器。
【請求項４】
前記地点情報処理手段により目的地設定された目的地までの経路誘導を行う経路誘導手段をさらに備えたことを特徴とする請求項１に記載の車載機器。
【請求項５】
前記通信手段による優先通信の対象となる１の前記携帯機器である優先機器を設定する優先機器設定手段をさらに備え、
前記地点情報取得手段は、最初に当該優先機器から地点情報の取得を試み、前記優先機器に転送すべき前記地点情報がない場合であって前記通信手段により当該優先機器以外の他の前記携帯機器と通信を確立できた場合には、当該他の携帯機器に対して地点情報の取得を試みることを特徴とする請求項１に記載の車載機器。
【請求項６】
前記通信手段による優先通信の対象となる１の前記携帯機器である優先機器を設定する優先機器設定手段をさらに備え、
前記転送予約確認手段は、最初に前記優先機器の転送予約を確認し、当該優先機器に転送予約がないことを確認した場合であって、且つ前記通信手段により当該優先機器以外の他の前記携帯機器と通信を確立できた場合、当該他の携帯機器に対して転送予約の有無を確認することを特徴とする請求項３に記載の車載機器。
【請求項７】
前記地点情報処理手段により、前記他の携帯機器から取得した前記地点情報を用いて目的地設定した場合、前記優先機器設定手段は、当該他の携帯機器を前記優先機器として設定することを特徴とする請求項６に記載の車載機器。
【請求項８】
前記他の携帯機器から取得した前記地点情報を用いて目的地設定した場合、当該他の携帯機器を前記優先機器として設定するか否かをユーザに選択させるための優先機器選択手段をさらに備え、
前記優先機器設定手段は、前記優先機器選択手段により「設定する」と選択された場合、前記他の携帯機器を前記優先機器として設定することを特徴とする請求項７に記載の車載機器。
【請求項９】
前記携帯機器は、前記目的地情報を、日時情報と共に登録可能であり、
前記通信手段により、前記目的地情報の転送予約がある複数の携帯機器および／または複数の前記目的地情報の転送予約がある携帯機器と通信を確立したことによって、前記地点情報取得手段により、複数の前記目的地情報を取得した場合、
取得した前記複数の目的地情報のうち、目的地設定の対象となる１以上の目的地情報を、前記日時情報に応じて抽出する目的地情報抽出手段をさらに備え、
前記目的地設定手段は、前記目的地情報抽出手段により抽出された前記１以上の目的地情報に基づいて、前記目的地を設定することを特徴とする請求項２に記載の車載機器。
【請求項１０】
前記目的地設定の対象となる前記目的地情報を抽出するための日時条件を設定する日時条件設定手段をさらに備え、
前記目的地情報抽出手段は、前記複数の目的地情報のうち、前記日時条件設定手段により設定された前記日時条件と、前記日時情報とを照合することによって、前記１以上の目的地情報を抽出することを特徴とする請求項９に記載の車載機器。
【請求項１１】
前記通信手段により、前記目的地情報の転送予約がある複数の携帯機器および／または複数の前記目的地情報の転送予約がある携帯機器と通信を確立したことによって、前記地点情報取得手段により、複数の前記目的地情報を取得した場合、
取得した前記複数の目的地情報のうち、目的地設定の対象となる１以上の地点情報をユーザに選択させるための目的地情報選択手段をさらに備え、
前記目的地設定手段は、前記目的地情報選択手段により選択された前記１以上の目的地情報に基づいて、前記目的地を設定することを特徴とする請求項２に記載の車載機器。
【請求項１２】
前記通信手段により、前記目的地情報の転送予約がある複数の携帯機器および／または複数の前記目的地情報の転送予約がある携帯機器と通信を確立したことによって、前記地点情報取得手段により、複数の前記目的地情報を取得した場合、
前記地点情報処理手段は、取得した前記複数の目的地情報に基づいて、複数の経由地を設定する経由地設定手段を含み、
前記経由地設定手段により設定された前記複数の経由地にしたがって経路誘導を行う経路誘導手段をさらに備えたことを特徴とする請求項２に記載の車載機器。
【請求項１３】
現在位置から、前記地点情報処理手段により目的地設定された目的地までの所要時間、および当該目的地への到着時刻のいずれかを算出する算出手段と、
前記算出手段により算出された前記所要時間または前記到着時刻を、前記地点情報の転送元となる前記携帯機器に対して通知する通知手段と、をさらに備えたことを特徴とする請求項１に記載の車載機器。
【請求項１４】
請求項１ないし１３のいずれか１項に記載の車載機器と、前記携帯機器と、から成ることを特徴とする情報通信システム。
【請求項１５】
任意の地点を示す地点情報の転送予約機能を有する携帯機器と、通信可能な車載機器の通信制御方法であって、
前記車載機器が、
通信確立された後に、前記携帯機器から前記地点情報を取得するステップと、
前記地点情報を用いて、少なくとも地点登録または目的地設定を行うステップと、
前記地点情報の転送元となる前記携帯機器に対し、当該地点情報の登録削除指令を送信するステップと、を実行することを特徴とする車載機器の通信制御方法。
【請求項１６】
コンピュータに、請求項１５に記載の車載機器の通信制御方法における各ステップを実行させるためのプログラム。
【手続補正２】
【補正対象書類名】明細書
【補正対象項目名】０００５
【補正方法】変更
【補正の内容】
【０００５】
本発明の車載機器は、任意の地点を示す地点情報の転送予約機能を有する携帯機器と、通信を行う通信手段と、通信確立された後に、携帯機器から地点情報を取得する地点情報取得手段と、地点情報を用いて、少なくとも地点登録または目的地設定を行う地点情報処理手段と、地点情報の転送元となる携帯機器に対し、当該地点情報の登録削除指令を送信する削除指令送信手段と、を備えたことを特徴とする。
上記に記載の車載機器において、地点情報は、目的地を示す目的地情報、または地点登録するための地点登録情報であり、地点情報取得手段により取得した地点情報が目的地情報および地点登録情報のいずれであるかを判別する地点情報判別手段をさらに備え、地点情報処理手段は、地点情報が地点登録情報であると判別された場合、当該地点登録情報を用いて地点登録を行う地点登録手段と、地点情報が目的地情報であると判別された場合、当該目的地情報を用いて目的地設定を行う目的地設定手段と、を含むことを特徴とする。
上記に記載の車載機器において、携帯機器との通信確立時に、当該携帯機器に対し、地点情報の転送予約の有無を確認する転送予約確認手段をさらに備え、地点情報取得手段は、転送予約確認手段により、携帯機器に転送予約があることを確認した場合、当該携帯機器から地点情報を取得することを特徴とする。
上記に記載の車載機器において、地点情報処理手段により目的地設定された目的地までの経路誘導を行う経路誘導手段をさらに備えたことを特徴とする。
上記に記載の車載機器において、通信手段による優先通信の対象となる１の携帯機器である優先機器を設定する優先機器設定手段をさらに備え、地点情報取得手段は、最初に当該優先機器から地点情報の取得を試み、優先機器に転送すべき地点情報がない場合であって通信手段により当該優先機器以外の他の携帯機器と通信を確立できた場合には、当該他の携帯機器に対して地点情報の取得を試みることを特徴とする。
上記に記載の車載機器において、通信手段による優先通信の対象となる１の携帯機器である優先機器を設定する優先機器設定手段をさらに備え、転送予約確認手段は、最初に優先機器の転送予約を確認し、当該優先機器に転送予約がないことを確認した場合であって、且つ通信手段により当該優先機器以外の他の携帯機器と通信を確立できた場合、当該他の携帯機器に対して転送予約の有無を確認することを特徴とする。
上記に記載の車載機器において、地点情報処理手段により、他の携帯機器から取得した地点情報を用いて目的地設定した場合、優先機器設定手段は、当該他の携帯機器を優先機器として設定することを特徴とする。
上記に記載の車載機器において、他の携帯機器から取得した地点情報を用いて目的地設定した場合、当該他の携帯機器を優先機器として設定するか否かをユーザに選択させるための優先機器選択手段をさらに備え、優先機器設定手段は、優先機器選択手段により「設定する」と選択された場合、他の携帯機器を優先機器として設定することを特徴とする。
上記に記載の車載機器において、携帯機器は、目的地情報を、日時情報と共に登録可能であり、通信手段により、目的地情報の転送予約がある複数の携帯機器および／または複数の目的地情報の転送予約がある携帯機器と通信を確立したことによって、地点情報取得手段により、複数の目的地情報を取得した場合、取得した複数の目的地情報のうち、目的地設定の対象となる１以上の目的地情報を、日時情報に応じて抽出する目的地情報抽出手段をさらに備え、目的地設定手段は、目的地情報抽出手段により抽出された１以上の目的地情報に基づいて、目的地を設定することを特徴とする。
上記に記載の車載機器において、目的地設定の対象となる目的地情報を抽出するための日時条件を設定する日時条件設定手段をさらに備え、目的地情報抽出手段は、複数の目的地情報のうち、日時条件設定手段により設定された日時条件と、日時情報とを照合することによって、１以上の目的地情報を抽出することを特徴とする。
上記に記載の車載機器において、通信手段により、目的地情報の転送予約がある複数の携帯機器および／または複数の目的地情報の転送予約がある携帯機器と通信を確立したことによって、地点情報取得手段により、複数の目的地情報を取得した場合、取得した複数の目的地情報のうち、目的地設定の対象となる１以上の地点情報をユーザに選択させるための目的地情報選択手段をさらに備え、目的地設定手段は、目的地情報選択手段により選択された１以上の目的地情報に基づいて、目的地を設定することを特徴とする。
上記に記載の車載機器において、通信手段により、目的地情報の転送予約がある複数の携帯機器および／または複数の目的地情報の転送予約がある携帯機器と通信を確立したことによって、地点情報取得手段により、複数の目的地情報を取得した場合、地点情報処理手段は、取得した複数の目的地情報に基づいて、複数の経由地を設定する経由地設定手段を含み、経由地設定手段により設定された複数の経由地にしたがって経路誘導を行う経路誘導手段をさらに備えたことを特徴とする。
上記に記載の車載機器において、現在位置から、地点情報処理手段により目的地設定された目的地までの所要時間、および当該目的地への到着時刻のいずれかを算出する算出手段と、算出手段により算出された所要時間または到着時刻を、地点情報の転送元となる携帯機器に対して通知する通知手段と、をさらに備えたことを特徴とする。
本発明の情報通信システムは、上記に記載の車載機器において、上記に記載の車載機器と、携帯機器と、から成ることを特徴とする。
本発明の車載機器の通信制御方法は、任意の地点を示す地点情報の転送予約機能を有する携帯機器と、通信可能な車載機器の通信制御方法であって、車載機器が、通信確立された後に、携帯機器から地点情報を取得するステップと、地点情報を用いて、少なくとも地点登録または目的地設定を行うステップと、地点情報の転送元となる携帯機器に対し、当該地点情報の登録削除指令を送信するステップと、を実行することを特徴とする。
本発明のプログラムは、コンピュータに、上記に記載の車載機器の通信制御方法における各ステップを実行させることを特徴とする。
なお、以下の構成としても良い。
本発明の車載機器は、任意の地点を示す地点情報の転送予約機能を有する携帯機器と、通信を行う通信手段と、通信確立された後に、携帯機器から地点情報を取得する地点情報取得手段と、地点情報取得手段により取得された地点情報に関する処理の種別を判別する地点情報判別手段と、地点情報判別手段により判別された種別に基づき、地点情報を用いて、少なくとも地点登録または目的地設定を行う地点情報処理手段と、を備えたことを特徴とする。